(57)【特許請求の範囲】
【請求項１】
縦壁前面に外側から内側へ向け傾斜する勾配を備えたＬ型擁壁のコーナーブロック成形用型枠であって、ベースの上面に立設した支柱に回動自在に連結され、底部及び立壁部の内枠板を備えた左右の内側成形枠と、前記ベースから独立し、且つ前記ベースの上面から起立する直立軸に回動自在に連結され、前記ベースの上面に対して前記縦壁前面の勾配に対応して外側に倒れた左右の傾斜外側壁並びに前記傾斜外側壁の内側にあって、前記ベースから独立した傾斜軸に連結側端縁が互いに接触した状態で回動自在に連結され、且つ前記傾斜外側壁にガイド機構を介して設置された左右の傾斜内側壁とで構成された左右の外側成形枠と、前記左右の内側成形枠と前記左右の傾斜内側壁との間に形成された縦壁枠内の底部を閉塞する着脱可能な底枠と、前記左右の内側成形枠の前記底部内枠板の上面にあって、該底部内枠板と摺接可能となるように前記支柱に固定した前記底部内枠板とで前記底部内枠を構成する固定水平版と、前記左右の外側成形枠の連結部と反対側の端部にそれぞれ装着する小口版とから構成され、前記ガイド機構により、前記外側成形枠を構成する傾斜外側壁のコーナー角度の変更にかかわらず、前記傾斜内側壁の勾配が一定に保たれるように連動するように形成したことを特徴とするＬ型擁壁のコーナーブロック成形用型枠。
【請求項２】
前記ガイド機構が、前記左右の傾斜外側壁に形成した複数個のガイドホールと、前記左右の傾斜内側壁に装着した前記ガイドホールに挿通するガイドピンおよび固定用ボルトから構成され、セットした前記傾斜外側壁と前記傾斜内側壁とを前記固定用ボルトに前記傾斜外側壁側から螺合したナット締めにより連結し固定する構成としたことを特徴とする請求項１記載のＬ型擁壁のコーナーブロック成形用型枠。
【請求項３】
前記左右の傾斜内側壁はその連結側端縁が前記傾斜軸の中心に位置し、前記傾斜軸を中心として回動する前記左右の傾斜内側壁の前記連結側端縁が互いに接触して、その合わせ部に隙間が空かないように形成したことを特徴とする請求項１又は２記載のＬ型擁壁のコーナーブロック成形用型枠。
【請求項４】
前記左右の内側成型枠を前記ベースの上面に立設した二本の支柱にそれぞれ回動自在に連結してなり、前記左右の内側成型枠をそれぞれの支柱を中心にして前記ベース上を摺動することで任意の角度に変更しできる構成としたことを特徴とする請求項１，２又は３記載のＬ型擁壁のコーナーブロック成形用型枠。
【発明の詳細な説明】
【技術分野】
【０００１】
本発明はＬ型擁壁の成形用型枠、特に外側成型枠の前面側勾配を一定にしたままコーナー角度を自由に調整できるＬ型擁壁のコーナーブロック成形用型枠に関する。
【背景技術】
【０００２】
Ｌ型擁壁は縦壁と底版の各々が外力に対して片持ち梁として抵抗する構造であり、用地境界に接する道路擁壁や宅造擁壁で多く用いられている。このＬ型擁壁のコーナー部は、左右の縦壁を設置場所に応じて任意の開き角度に調節する必要があり、プレキャスト製品として工場で製造する場合、型枠に開き角度を自在に調整できる工夫が加えられてきた。
【０００３】
従来から知られているこの種Ｌ型のコーナー擁壁を製造するための型枠として、基台上に立設されたセンタポスト回りに回動且つ固定自在に基台上に設置された２個の内面成形枠と、この内面成形枠のそれぞれと所定の間隔を隔てて基台上に固定された２個の外面成形枠と、該外面成形枠相互間に形成されるスリットに嵌着される連結部材と、各内面成形枠のセンタポストと反対側の端部に固定されるＬ形の小口板とを備えたものが知られている（実公平２−４４９６５号公報）。
【０００４】
この型枠によれば、各内面成形枠をセンタポストの周りに回転させ、その開き角度を変更することによって一つの型枠でコーナー角度が異なる種々のコーナー擁壁を製造することができる。
【０００５】
また、実公平８−４２４８号公報では、２個の内面成形枠をセンタポストを中心とし、同一角度回転させてその開き角度を変更する角度可変機構と、基台の上面に設けられ各内面成形枠及び各外面成形枠を滑動自在に支持するレールとをさらに備えたものが開示されており、この型枠によれば、各内面成形枠の開き角度の変更作業を角度可変機構によって容易に行うことができる。
【０００６】
また、ベースの上面を各内側成形枠の回転軌道に沿って移動できるように、該ベースの上面に配置された左右一対の可動ベースを備え、各内側成形枠は各可動ベースの上面にそれぞれ立設され、各外側成形枠は各内側成形枠に対して平行移動できるように可動ベースに配置することにより、各内側成形枠に対する各外側成形枠のセッティング作業を簡単且つ容易に行えるるようにしたコーナー擁壁ブロック製造用型枠（特開２００９−１２６１７２号公報）も提案されている。
【０００７】
また、コーナー角度を変更する場合、底盤打ちの型枠では底部内枠をコーナー角度に応じて交換する必要が生じるが、考案者らは、底部内枠を交換することなく同一の型枠によりコーナー角が異なるコーナー擁壁に対応できる型枠を提案した（実公平４ー１５４４５号公報）。
【先行技術文献】
【特許文献】
【０００８】
【特許文献１】実公平２−４４９６５号公報
【特許文献２】実公平８−４２４８号公報
【特許文献３】特開２００９−１２６１７２号公報
【特許文献４】実公平４−１５４４５号公報
【発明の概要】
【発明が解決しようとする課題】
【０００９】
ところで、片持ち梁形式のＬ型擁壁では土盛りによって縦壁が内側から土圧を受け、外側に撓むことが考えられる。また、一般に道路に面した縦壁は、歩行者に対して倒れかかるような不安感を与える。そのため、縦壁の前面側に外側から内側方向に向け１〜２％の勾配が設けられることが多い。
【００１０】
このようなコーナー擁壁を製造する型枠において、軸の傾きを一定として左右一対の外側板の開き角度を調整する場合、外側板の外側最下端（製品の左右頂版端部）が上下し浮き上がることからその固定に手間がかかり、調整が難しい。また、外側板のコーナー角度が変化していくと、外側板の連結部に隙間が発生し、上記提案された従来のいずれの型枠
においても成形に支障が生じていた。
【００１１】
本発明は、上記のような従来の欠点を解消するものであり、簡単な構造で、外側成型枠の前面側勾配を一定にしたままコーナー部の開き角度を自在に調節できるＬ型擁壁のコーナーブロック成形用型枠を提供することを目的とする。
【課題を解決するための手段】
【００１２】
上記の目的を達成するため、本願の請求項１に係る発明は、ベースの上面に立設した支柱に回動自在に連結され、底部及び立壁部の内枠板を備えた左右の内側成形枠と、前記ベースから独立し、且つ前記ベースの上面から起立する直立軸に回動自在に連結され、前記ベースの上面に対して前記縦壁前面の勾配に対応して外側に倒れた左右の傾斜外側壁並びに前記傾斜外側壁の内側にあって、前記ベースから独立した傾斜軸に連結側端縁が互いに接触した状態で回動自在に連結され、且つ前記傾斜外側壁にガイド機構を介して設置された左右の傾斜内側壁とで構成された左右の外側成形枠と、前記左右の内側成形枠と前記左右の傾斜内側壁との間に形成された縦壁枠内の底部を閉塞する着脱可能な底枠と、前記左右の内側成形枠の前記底部内枠板の上面にあって、該底部内枠板と摺接可能となるように前記支柱に固定した前記底部内枠板とで前記底部内枠を構成する固定水平版と、前記左右の外側成形枠の連結部と反対側の端部にそれぞれ装着する小口版とから構成され、前記ガイド機構により、前記外側成形枠を構成する傾斜外側壁のコーナー角度の変更にかかわらず、前記傾斜内側壁の勾配が一定に保たれるように連動するように形成したことを特徴とするＬ型擁壁のコーナーブロック成形用型枠である。
【００１３】
また、本願の請求項２に係る発明は、前記ガイド機構が、前記左右の傾斜外側壁に形成した複数個のガイドホールと、前記左右の傾斜内側壁に装着した前記ガイドホールに挿通するガイドピンおよび固定用ボルトから構成され、セットした前記傾斜外側壁と前記傾斜内側壁とを前記固定用ボルトに前記傾斜外側壁側から螺合したナット締めにより連結し固定する構成としたことを特徴とする。
【００１４】
また、本願の請求項３に係る発明は、前記左右の傾斜内側壁はその連結側端縁が前記傾斜軸の中心に位置し、前記傾斜軸を中心として回動する前記左右の傾斜内側壁の前記連結側端縁が互いに接触して、その合わせ部に隙間が空かないように形成したことを特徴とするものである。
【００１５】
そして、本願の請求項４に係る発明は、前記左右の内側成型枠を前記ベースの上面に立設した二本の支柱にそれぞれ回動自在に連結してなり、前記左右の内側成型枠をそれぞれの支柱を中心にして前記ベース上を摺動することで任意の角度に変更しできる構成としたことを特徴とする。
【発明の効果】
【００１６】
上記のように、本願の請求項１係る発明によれば、外側成型枠を構成する左右の傾斜外側壁は、前記ベースの上面に対して外側に所望の勾配で倒れた状態に配設されているとゝもに、前記ベースから独立し且つ前記ベース上面から直角に起立する直立軸に回動自在に連結された構造であるため、前記左右の傾斜外側壁はそのコーナー角度が変化しても、前記左右の傾斜外側壁のベースの上面に対して予め設定された傾斜は変化せず、一定の勾配が保持される。
【００１７】
そして、本願発明において、前記左右の傾斜外側壁の内側に、前記ベースから独立した傾斜軸を介して連結側端縁が互いに接触した状態で回動自在に連結された左右の傾斜内側壁を備えており、しかもこの傾斜内側壁は前記傾斜外側壁と同一の勾配を維持したままで回動可能となるガイド機構を介して連結されているので、前記左右の傾斜外側壁のコーナー角度が変化しても、前記左右の傾斜内側壁の勾配は前記左右の傾斜外側壁の勾配と同様に一定に保たれる。したがって、前記傾斜内側壁の勾配に対する配慮が不必要となり、外側成型枠の組み立て、調整作業を容易に行える。
【００１８】
また、前記外側成型枠を構成する前記左右の傾斜外側壁は、そのコーナー角度が変化することによって前記直立軸との連結側端縁に隙間が発生するが、この隙間は前記傾斜外側壁の内側に設置した前記左右の傾斜内側壁にあって、前記傾斜軸部における接触した側端縁部分で塞がれ、前記左右の傾斜外側壁の連結軸部からのコンクリート漏れを防止することができる。
【００１９】
また、本願の請求項２に係る発明は、前記ガイド機構が、前記左右の傾斜外側壁に形成した複数個のガイドホールと、前記左右の傾斜内側壁に装着した前記傾斜外側壁とセットとするための前記ガイドホールに挿通するガイドピンおよび固定用ボルトからなる簡単な構造のものである。したがって、前記傾斜内側壁と前記傾斜外側壁との組み立て作業が容易であるとゝもに、前記外側成型枠を廉価に製造することができる。
【００２０】
また、本願の請求項３に係る発明は、前記左右の傾斜内側壁はその連結側端縁が前記傾斜軸の中心に位置し、前記傾斜軸を中心として回動する前記左右の傾斜内側壁の前記連結側端縁が互いに接触して、その合わせ部に隙間が空かないようにように構成されている。このような構成とすることで、前記左右の傾斜外側壁のコーナー角度が変化することによって、その連結側の側端縁に生じる隙間は、前記傾斜外側壁の内側に設置した前記左右の傾斜内側壁の連結側の接触する側端縁部分で塞がれ、型枠内に打設したコンクリートの前記左右の傾斜外側壁のコーナー部からの漏れを防止することができ、綺麗な外表面を有する製品が得られる。
【００２１】
また、本願の請求項４に係る発明によれば、前記左右の内側成型枠を、前記ベースの上面に立設した二本の支柱にそれぞれ回動自在に連結してなり、前記左右の内側成型枠をそれぞれの支柱を中心にして前記ベース上を各自が摺動する構成とした。このような構成とすることで、前記左右の内側成型枠は、前記左右の外側成型枠のコーナー角度にかかわらず任意の角度に変更し対応でき、内側成形枠の設置，調整作業を容易に行える。
【発明を実施するための形態】
【００２２】
以下、本発明を図１乃至図７に示す実施例により詳細に説明する。図において、Ａは本発明に係るＬ型擁壁のコーナーブロック成型用の型枠で、この底版打ち方式の成型用型枠Ａにより、図７に示すようなＬ型のコーナー擁壁ブロックＢを成型する。この擁壁ブロックＢは、その縦壁Ｃの前面側に外側から内側方向に向け１〜２％の勾配（θ）を設けたもので、左右の縦壁Ｃ，Ｃのコーナー角度（α）を９０°とした一例である。
【００２３】
１は本発明に係るＬ型擁壁ブロックの成形用型枠Ａを設置するベースで、該ベース１の上面に立設した左右の支柱２，２に、底部内枠３を構成する底部内枠板４，４をそれぞれ上端に備えた左右の内側成形枠５，５が回動自在に連結されている。６は前記ベース１から独立し、且つ前記ベース１の上面に対して直角に起立した直立軸で、この直立軸６に、前記ベース１の上面に対し、前記コーナー擁壁ブロックＢの縦壁Ｃ前面の勾配（θ）に対応して内側から外側に倒れた左右の傾斜外側壁７，７が回動自在に連結されている。
【００２４】
８は傾斜内側壁で、前記ベース１の上面に対して前記擁壁ブロックＢの縦壁Ｃ前面の勾配（θ）に対応して内側から外側に倒れた状態に配設したものであり、前記左右の傾斜外側壁７，７の内側に設置されたこの左右の傾斜内側壁８，８は、前記ベース１から独立した傾斜軸９を介して、前記左右の傾斜内側壁８，８の連結側端縁８Ａ，８Ａが互いに接触した状態で回動自在に連結されている。
【００２５】
１０，１０は前記左右の傾斜外側壁７，７に形成した上下に対とするガイドホールで、前記左右の傾斜外側壁７，７の内側に前記左右の傾斜内側壁８，８を設置するために形成したものであり、上下に並列して形成した上下二段の前記ガイドホール１０Ａ，１０Ｂは前記傾斜外側壁７の直立軸６側、および他端側の上部と下部にそれぞれ形成されている。なお、前記コーナー擁壁Ｂの縦壁Ｃ前面の勾配（θ）に対応しするため、前記ガイドホール１０は前記直立軸６側に向け上昇する上面傾斜としている。
【００２６】
１１は前記左右の傾斜内側壁８，８にあって、前記左右の傾斜外側壁７，７側に向け突出状態で設置したガイドピンであり、１２は連結用のボルトである。このガイドピン１１および連結用のボルト１２をそれぞれ前記傾斜外側壁７，７に形成した前記ガイドホール１０Ａ，１０Ｂ内に挿通して前記傾斜外側壁７，７の内側に前記傾斜内側壁８，８をセットし、前記連結用のボルト１２に前記傾斜外側壁７側から緩く螺合せしめたナットにより連結しする構成としたものである。
【００２７】
１３は外側成型枠で、前記左右の傾斜外側壁７と前記左右の傾斜内側壁８とを、前記傾斜外側壁７に形成したガイドホール１０と前記傾斜内側壁８に形成したガイドピン１１および連結用のボルト１２を介して連結した構成のものであり、前記左右の外側成型枠１３，１３のコーナー角度が変化してもその内側枠の勾配は変化しない。詳述すると、前記傾斜外側壁７，７を連結する前記直立軸９は前記ベース１の上面に対して直角に起立しているので、前記左右の傾斜外側壁７，７のコーナー角度が変化しても、その内側にセットした前記左右の傾斜内側壁８，８の勾配は変化しない。
【００２８】
１４は前記外側成型枠１３を構成する前記傾斜内側壁８と前記内側成型枠５との間に形成された縦壁枠内の底部を閉塞する着脱可能な底枠である。１５は前記左右の内側成形枠５，５の底部内枠３を構成する固定水平版で、前記底部内枠３を構成する前記底部内枠板４の上面にあって、前記底部内枠板４と摺接可能となるように前記支柱２に固定されている。１６は前記左右の外側成形枠１３を連結している直立軸６と反対側の端部にそれぞれ装着する小口版であり、１７は前記内側成形枠５と前記外側成型枠１３との間のコーナー角部に設置するアタツチメントである。
【００２９】
１８は前記傾斜外側壁７の下端部に形成した複数個の長孔で、前記傾斜外側壁７の底辺に沿って延びている。１９は前記長孔１８に前記傾斜外側壁７側から挿入した長尺ボルトで、前記長孔１８の所望の位置で、前記小口版１６，前記底枠１４，前記小口版１６，内側成型枠５の貫通孔内をそれぞれ通し、前記内側成型枠５側で螺合したナット締めにより前記型枠構成枠材をそれぞれその下部で一体に固定したものである。
【００３０】
２０は前記傾斜外側壁７，前記傾斜内側壁８，前記小口版１６および前記内側成型枠５を上方中間部で一体に固定するためのボルトで、前記傾斜外側壁７側から各貫通孔内に挿入した前記ボルト２０の先端部を前記内側成型枠５側で螺合したナット締めにより一体に固定したものである。２１は前記傾斜外側壁７と前記傾斜内側壁８とをその上端部で連結し固定するための鉤型の連結具で、一端は前記傾斜外側壁７の上端フランジ部にボルト締めにより固定されている。
【００３１】
図５に示すものは、前記傾斜外側壁７と前記傾斜内側壁８からなる左右の外側成型枠１３，１３のコーナー角度（θ）を９０度に設定し連結した状態のＬ型擁壁ブロックの成形用型枠Ａであり、前記傾斜外側壁７と前記傾斜内側壁８とは図３及び図４に示すような状態にある。そこで、図５に示す状態から図６に示すように、左右の外側成型枠１３，１３のコーナー角（θ）を、例えば最大の１７２度に変更する場合には、図４において、前記型枠構成枠材７，１６，１４，５を一体に固定しているボルト１９，２０を螺脱して引き抜き、前記内側成型枠５と連結されていた前記小口版１６，前記底枠１４及び前記外側成型枠１３をそれぞれ分離する。
【００３２】
つぎに、鉤型の連結具２１を外し、連結用ボルト１２の固定を解いた後、前記左右の外側成型枠１３，１３をそのコーナー角度（θ）が１７２度になるまで左右に開く。これにより、前記左右の傾斜外側壁７，７はそれぞれ前記直立軸６を中心として左右に回動し、コーナー角度（θ）が１７２度まで開かれるが、この左右の傾斜外側壁７，７の勾配はそれぞれ当初設定した勾配のまま維持される。
【００３３】
前記左右の傾斜外側壁７，７が前記直立軸６を中心とし左右に開かれるにつれ、前記左右の傾斜内側壁８，８もガイド機構１０，１１，１２を介して前記傾斜軸９を中心として左右に開かれる。すなわち、前記左右の傾斜内側壁８，８は、前記左右の傾斜外側壁７，７のガイドホール１０内に位置する前記ガイドピン１１が前記ガイドホール１０に沿って案内され、該ガイドホール１０の左上方に向けスライドしながら前記傾斜軸９を中心として、前記左右の傾斜内側壁８，８は前記左右の傾斜外側壁７，７のコーナー角度まで回動し移動する。
【００３４】
前記左右の傾斜外側壁７，７がそれぞれ前記直立軸６を中心として左右に回動し、コーナー角度（θ）が１７２度まで変化していくと、前記傾斜外側壁７，７の前記直立軸６側の側端縁部に隙間が発生する。このとき、前記傾斜外側壁７，７の回動に連動して前記傾斜軸９を中心として回動する前記左右の傾斜内側壁８，８はその連結側の側端縁８Ａ，８Ａが互いに接触した状態で連結され、接触したこの状態を維持したままで回動する。
【００３５】
その結果、前記左右の傾斜外側壁７，７の連結側の側端縁部の間に発生する隙間は、前記左右の傾斜外側壁７，７の内側に設置した前記左右の傾斜内側壁８，８にあって、その連結側の側端縁８Ａ，８Ａの部分で閉塞される。したがって、前記左右の傾斜外側壁７，７と前記左右の傾斜内側壁８，８によって形成されている前記左右の外側成型枠１３，１３の連結側の側端縁間に隙間は発生しない。前記左右の外側成型枠１３，１３のコーナー角度を、上記のように、例えば１７２度に変更した場合には、前記左右の内側成型枠５，５をそれぞれ支柱２，２を中心とした外側方向に回動し、図６に示す状態とする。
【００３６】
図６に示す状態に型枠Ａをセットした後、上記とは逆の手順により、先ず連結用ボルト１２を締め付けて前記左右の傾斜外側壁７，７と前記左右の傾斜内側壁８，８とをガイド機構を介して連結するとゝもに、上方部で連結具２１により一体に連結する。つぎに、前記型枠構成枠材７，１４，１６，５をボルト１９，２０一体に固定するとゝもに、変更したコーナー角度に応じたアタッチメント１７を前記左右の外側成型枠１３，１３のコーナー角度に設置することで、新たなコーナー角度の型枠Ａを形成する。
【図面の簡単な説明】
【００３７】
【図１】本発明に係るＬ型擁壁コーナーブロック成型用型枠を構成する外側成型枠の傾斜外側壁とこれを連結する直立軸の正面図である。
【図２】同じくＬ型擁壁コーナーブロック成型用型枠を構成する外側成型枠の傾斜内側壁とこれを連結する傾斜軸の正面図である。
【図３】同じくＬ型擁壁のコーナーブロック成型用型枠の全体正面図である。
【図４】同じくＬ型擁壁のコーナーブロック成型用型枠の側面図である。
【図５】同じく外側線型枠のコーナー角度を９０度に設定した状態の平面図である。
【図６】同じく外側線型枠のコーナー角度を１７２度に設定した状態の平面図である。
【図７】本発明に係るＬ型擁壁コーナーブロック成型用型枠で成型したＬ型擁壁のコーナーブロックの全体斜視図である。
【符号の説明】
【００３８】
Ａ  型枠                              １０  ガイドホール
Ｂ  Ｌ型擁壁ブロック                  １１  ガイドピン
１  ベース                            １２  連結ボルト
２  支柱                              １３  外側成型枠
３  底部内枠                          １４  底枠
４  底部内枠板                        １５  固定水平版
５  内側成型枠                        １６  小口版
６  直立軸                            １７  アタッチメント
７  傾斜外側壁                        １８  長孔
８  傾斜内側壁                        １９・２０  ボルト
９  傾斜軸                            ２１  連結具
【図１】
0006322556.tif 000002
【図２】
0006322556.tif 000003
【図３】
0006322556.tif 000004
【図４】
0006322556.tif 000005
【図５】
0006322556.tif 000006
【図６】
0006322556.tif 000007
【図７】
0006322556.tif 000008